(57)【要約】  炊飯器の加熱温度制御方法、装置及び炊飯器であって、自動制御の技術分野に関する。制御方法は、炊飯器が沸騰段階にあると決定された場合に、釜底温度を収集するための底部感温筒の温度と、鍋蓋における温度を収集するための頂部感温筒の温度に基づいて、前記炊飯器の釜底温度の上昇が速すぎるか否かを判断すること（Ｓ１１０）と、釜底温度の上昇が速すぎると決定された場合に、炊飯器の釜底への加熱を一時停止するよう加熱板を制御すること（Ｓ１２０）と、底部感温筒の温度が第１の設定温度まで低下した後、再び沸騰段階の加熱パワーで釜底を加熱するように加熱板を制御すること（Ｓ１３０）とを含む。制御方法は、炊飯器内のご飯を充分に沸騰させることができ、ご飯を完熟にすることを保証し、釜底の昇温が速くなりすぎてご飯を充分に沸騰させずに蒸らし段階に入ることに起因するご飯の生煮え現象の発生を回避し、炊飯器内のご飯を完熟にし、よりユーザの食用要求に応える。【選択図】図１
2019526390.tif 000002
【特許請求の範囲】
【請求項１】
炊飯器が沸騰段階にあると決定された場合に、釜底温度を収集するための底部感温筒の温度と、鍋蓋における温度を収集するための頂部感温筒の温度とに基づいて、前記炊飯器の釜底温度の上昇が速すぎるか否かを判断することと、
前記釜底温度の上昇が速すぎると決定された場合に、前記炊飯器の釜底への加熱を一時停止するように加熱板を制御することと、
前記底部感温筒の温度が第１の設定温度まで低下した後、再び沸騰段階の加熱パワーで前記釜底を加熱するように加熱板を制御することと、
を含む炊飯器の加熱温度制御方法。
【請求項２】
前記炊飯器が沸騰段階にあると決定することは、
底部感温筒の温度を取得することと、
前記底部感温筒の温度を第２の設定温度及び第３の設定温度のそれぞれと比較することと、
前記底部感温筒の温度が前記第２の設定温度よりも高くかつ前記第３の設定温度以下である場合に、前記炊飯器が沸騰段階にあると決定することと、を含み、
前記第３の設定温度は前記第２の設定温度よりも高く、前記第１の設定温度は前記第２の設定温度よりも高くかつ前記第３の設定温度よりも低い、
請求項１に記載の方法。
【請求項３】
前記底部感温筒の温度が第４の設定温度以上であり、かつ前記頂部感温筒の温度が第５の設定温度以下である場合に、前記釜底温度の上昇が速すぎると決定し、
前記第５の設定温度は前記第４の設定温度よりも低く、前記第４の設定温度は前記第２の設定温度よりも高くかつ前記第３の設定温度よりも低い、
請求項２に記載の方法。
【請求項４】
前記底部感温筒の温度が前記第４の設定温度よりも低い、或いは、前記頂部感温筒の温度が前記第５の設定温度よりも高い場合に、前記釜底温度の上昇が速すぎないと決定する、
請求項３に記載の方法。
【請求項５】
予め設定された周期で前記底部感温筒の温度と前記頂部感温筒の温度を取得する、
請求項１に記載の方法。
【請求項６】
炊飯器が沸騰段階にあると決定された場合に、釜底温度を収集するための底部感温筒の温度と、鍋蓋における温度を収集するための頂部感温筒の温度とに基づいて、前記炊飯器の釜底温度の上昇が速すぎるか否かを判断する第１の判断モジュールと、
前記釜底温度の上昇が速すぎると決定された場合に、前記炊飯器の釜底への加熱を一時停止するように加熱板を制御し、前記底部感温筒の温度が第１の設定温度まで低下した後、再び沸騰段階の加熱パワーで前記釜底を加熱するように加熱板を制御する制御モジュールと、
を備える炊飯器の加熱温度制御装置。
【請求項７】
前記底部感温筒の温度を取得する第１の取得モジュールと、
前記底部感温筒の温度を第２の設定温度及び第３の設定温度のそれぞれと比較し、前記底部感温筒の温度が前記第２の設定温度よりも高くかつ前記第３の設定温度以下である場合に、前記炊飯器が沸騰段階にあると決定する第２の判断モジュールと、をさらに備え、
前記第３の設定温度は前記第２の設定温度よりも高く、前記第１の設定温度は前記第２の設定温度よりも高くかつ前記第３の設定温度よりも低い
請求項６に記載の装置。
【請求項８】
前記炊飯器が沸騰段階にあると決定された後、前記底部感温筒の温度と前記頂部感温筒の温度を取得する第２の取得モジュール、をさらに備え、
前記第１の判断モジュールは、
前記底部感温筒の温度と前記第２の設定温度よりも高くかつ前記第３の設定温度よりも低い第４の設定温度とを比較するとともに、前記頂部感温筒の温度と前記第４の設定温度よりも低い第５の設定温度とを比較する比較サブモジュールと、
前記底部感温筒の温度が前記第４の設定温度以上であり、かつ前記頂部感温筒の温度が前記第５の設定温度以下である場合に、前記釜底温度の上昇が速すぎると決定する第１の決定サブモジュールと、を含む、
請求項７に記載の装置。
【請求項９】
前記第１の判断モジュールは、
前記底部感温筒の温度が前記第４の設定温度よりも低い、或いは、前記頂部感温筒の温度が前記第５の設定温度よりも高い場合に、前記釜底温度の上昇が速すぎないと決定する第２の決定サブモジュール、をさらに含む、
請求項８に記載の装置。
【請求項１０】
メモリと、
前記メモリに接続され、前記メモリに記憶された命令に基づいて請求項１〜５のいずれかに記載の方法を実行するように構成されるプロセッサと、
を備える炊飯器の加熱温度制御装置。
【請求項１１】
プロセッサによって実行されるときに、請求項１〜５のいずれかに記載の方法を実現するコンピュータプログラム命令が記憶されているコンピュータ読取可能な記憶媒体。
【請求項１２】
加熱板と、底部感温筒と、頂部感温筒と、コントローラとを備える炊飯器であって、
前記加熱板は、前記炊飯器の本体内に設けられ、炊飯器の内釜を加熱し、
前記底部感温筒は、前記炊飯器の本体の底部に設けられ、前記内釜の釜底温度を収集し、
前記頂部感温筒は、前記炊飯器の鍋蓋に設けられ、前記鍋蓋における温度を収集し、
前記コントローラの第１の入力側が前記底部感温筒に電気的に接続され、前記コントローラの第２の入力側が前記頂部感温筒に電気的に接続され、前記コントローラの出力側が前記加熱板に電気的に接続されており、
前記コントローラは、炊飯器が沸騰段階にあると決定された場合に、釜底温度を収集するための底部感温筒の温度と、鍋蓋における温度を収集するための頂部感温筒の温度とに基づいて、前記炊飯器の釜底温度の上昇が速すぎるか否かを判断し、前記釜底温度の上昇が速すぎると決定された場合に、前記炊飯器の釜底への加熱を一時停止するように加熱板を制御し、前記底部感温筒の温度が第１の設定温度まで低下した後、再び沸騰段階の加熱パワーで前記釜底を加熱するように加熱板を制御する炊飯器。
【請求項１３】
前記コントローラは、底部感温筒の温度を取得し、前記底部感温筒の温度を第２の設定温度及び第３の設定温度のそれぞれと比較し、前記底部感温筒の温度が前記第２の設定温度よりも高くかつ前記第３の設定温度以下である場合に、前記炊飯器が沸騰段階にあると決定し、前記第３の設定温度は前記第２の設定温度よりも高く、前記第１の設定温度は前記第２の設定温度よりも高くかつ前記第３の設定温度よりも低い、
請求項１２に記載の炊飯器。
【請求項１４】
前記コントローラは、前記底部感温筒の温度が第４の設定温度以上であり、かつ前記頂部感温筒の温度が第５の設定温度以下である場合に、前記釜底温度の上昇が速すぎると決定し、
前記第５の設定温度は前記第４の設定温度よりも低く、前記第４の設定温度は前記第２の設定温度よりも高くかつ前記第３の設定温度よりも低い、
請求項１３に記載の炊飯器。
【請求項１５】
前記コントローラは、前記底部感温筒の温度が前記第４の設定温度よりも低い、或いは、前記頂部感温筒の温度が前記第５の設定温度よりも高い場合に、前記釜底温度の上昇が速すぎないと決定する、
請求項１４に記載の炊飯器。
【発明の詳細な説明】
【技術分野】
【０００１】
本開示は、自動制御の技術分野に関し、特に、炊飯器の加熱温度制御方法、装置及び炊飯器に関する。なお、本出願は、２０１６年１０月２１日にて出願した、中国出願番号が２０１６１０９１７６４８．４である出願に基づく優先権を主張し、該中国出願の開示内容を全て参照により本出願に組み込むものとする。
【背景技術】
【０００２】
炊飯器による炊飯過程は、一般的には、浸漬段階、加熱段階、沸騰段階及び蒸らし段階の４段階を含み、異なる段階ごとに異なる加熱パワーを用いる。
【０００３】
炊飯器の本体の底部には、釜底の温度をリアルタイムにセンシングすることができる底部感温筒が設けられている。コントローラは、底部感温筒の温度を取得することで、炊飯器が現在どの段階にあるかを判断することができる。例えば、ある炊飯器にとって、底部感温筒の温度＜６０°の場合、炊飯器は浸漬段階にあり、６０°≦底部感温筒の温度≦８０°の場合、炊飯器は加熱段階にあり、８０°＜底部感温筒の温度≦１２０°の場合、炊飯器は沸騰段階にあり、底部感温筒の温度＞１２０°の場合、炊飯器は蒸らし段階にある。
【発明の概要】
【発明が解決しようとする課題】
【０００４】
実際の使用時に、ご飯を炊くのに熱湯を好んで使うユーザがあることを、発明者らは認識した。この場合、底部感温筒の温度上昇が速いことに起因して、ご飯を充分に沸騰させずに、底部感温筒の温度が蒸らし段階の対応する温度を超えてしまうため、炊飯過程があまりにも早く蒸らし段階に入り、ご飯の半熟や生煮えを招く。
【課題を解決するための手段】
【０００５】
上記問題を解決するために、本開示の実施例は、下記のような技術的構成を提供する。
本開示のいくつかの実施例の一態様によれば、炊飯器が沸騰段階にあると決定された場合に、釜底温度を収集するための底部感温筒の温度と、鍋蓋における温度を収集するための頂部感温筒の温度とに基づいて、前記炊飯器の釜底温度の上昇が速すぎるか否かを判断することと、前記釜底温度の上昇が速すぎると決定された場合に、前記炊飯器の釜底への加熱を一時停止するように加熱板を制御することと、前記底部感温筒の温度が第１の設定温度まで低下した後、再び沸騰段階の加熱パワーで前記釜底を加熱するように加熱板を制御することと、を含む炊飯器の加熱温度制御方法を提供する。
【０００６】
オプションとして、前記炊飯器が沸騰段階にあると決定することは、底部感温筒の温度を取得することと、底部感温筒の温度に基づいて、前記炊飯器が沸騰段階にあるか否かを判断することと、を含んでもよい。
【０００７】
オプションとして、前記炊飯器が沸騰段階にあると決定することは、底部感温筒の温度を取得することと、前記底部感温筒の温度を第２の設定温度及び第３の設定温度のそれぞれと比較することと、前記底部感温筒の温度が前記第２の設定温度よりも高くかつ前記第３の設定温度以下である場合に、前記炊飯器が沸騰段階にあると決定することと、を含み、前記第３の設定温度は前記第２の設定温度よりも高く、前記第１の設定温度は前記第２の設定温度よりも高くかつ前記第３の設定温度よりも低いようにしてもよい。
【０００８】
オプションとして、前記底部感温筒の温度に基づいて、前記炊飯器が沸騰段階にあると決定された後、前記底部感温筒の温度と前記頂部感温筒の温度を取得してもよい。
【０００９】
オプションとして、前記底部感温筒の温度が第４の設定温度以上であり、かつ前記頂部感温筒の温度が第５の設定温度以下である場合に、前記釜底温度の上昇が速すぎると決定し、前記第５の設定温度は前記第４の設定温度よりも低く、前記第４の設定温度は前記第２の設定温度よりも高くかつ前記第３の設定温度よりも低いようにしてもよい。
【００１０】
オプションとして、前記底部感温筒の温度が前記第４の設定温度よりも低い、或いは、前記頂部感温筒の温度が前記第５の設定温度よりも高い場合に、前記釜底温度の上昇が速すぎないと決定してもよい。
【００１１】
オプションとして、予め設定された周期で前記底部感温筒の温度と前記頂部感温筒の温度を取得してもよい。
【００１２】
本開示のいくつかの実施例の他の態様によれば、炊飯器が沸騰段階にあると決定された場合に、釜底温度を収集するための底部感温筒の温度と、鍋蓋における温度を収集するための頂部感温筒の温度とに基づいて、前記炊飯器の釜底温度の上昇が速すぎるか否かを判断する第１の判断モジュールと、前記釜底温度の上昇が速すぎると決定された場合に、前記炊飯器の釜底への加熱を一時停止するように加熱板を制御し、前記底部感温筒の温度が第１の設定温度まで低下した後、再び沸騰段階の加熱パワーで前記釜底を加熱するように加熱板を制御する制御モジュールと、を備える炊飯器の加熱温度制御装置を提供する。
【００１３】
オプションとして、前記装置は、前記底部感温筒の温度を取得する第１の取得モジュールと、前記底部感温筒の温度を第２の設定温度及び第３の設定温度のそれぞれと比較し、前記底部感温筒の温度が前記第２の設定温度よりも高くかつ前記第３の設定温度以下である場合に、前記炊飯器が沸騰段階にあると決定する第２の判断モジュールと、をさらに備え、前記第３の設定温度は前記第２の設定温度よりも高く、前記第１の設定温度は前記第２の設定温度よりも高くかつ前記第３の設定温度よりも低いようにしてもよい。
【００１４】
オプションとして、前記装置は、前記炊飯器が沸騰段階にあると決定された後、前記底部感温筒の温度と前記頂部感温筒の温度を取得する第２の取得モジュールをさらに備え、前記第１の判断モジュールは、前記底部感温筒の温度と前記第２の設定温度よりも高くかつ前記第３の設定温度よりも低い第４の設定温度とを比較するとともに、前記頂部感温筒の温度と前記第４の設定温度よりも低い第５の設定温度とを比較する比較サブモジュールと、前記底部感温筒の温度が前記第４の設定温度以上であり、かつ前記頂部感温筒の温度が前記第５の設定温度以下である場合に、前記釜底温度の上昇が速すぎると決定する第１の決定サブモジュールと、を含んでもよい。
【００１５】
オプションとして、前記第１の判断モジュールは、前記底部感温筒の温度が前記第４の設定温度よりも低い、或いは、前記頂部感温筒の温度が前記第５の設定温度よりも高い場合に、前記釜底温度の上昇が速すぎないと決定する第２の決定サブモジュールをさらに含んでもよい。
【００１６】
本開示のいくつかの実施例の他の一態様によれば、メモリと、前記メモリに接続され、前記メモリに記憶された命令に基づいて上述したいずれかの実施例に記載の方法を実行するように構成されるプロセッサと、を備える炊飯器の加熱温度制御装置を提供する。
本開示のいくつかの実施例の更なる一態様によれば、プロセッサによって実行されるときに、上述したいずれかの実施例に記載の方法を実現するコンピュータプログラム命令が記憶されているコンピュータ読取可能な記憶媒体を提供する。
【００１７】
本開示のいくつかの実施例の更なる一態様によれば、内釜と、加熱板と、底部感温筒と、頂部感温筒と、コントローラとを備える炊飯器であって、前記加熱板は、前記炊飯器の本体内に設けられ、炊飯器の内釜を加熱し、前記底部感温筒は、前記炊飯器の本体の底部に設けられ、前記内釜の釜底温度を収集し、前記頂部感温筒は、前記炊飯器の鍋蓋に設けられ、前記鍋蓋における温度を収集し、前記コントローラの第１の入力側が前記底部感温筒に電気的に接続され、前記コントローラの第２の入力側が前記頂部感温筒に電気的に接続され、前記コントローラの出力側が前記加熱板に電気的に接続され、前記コントローラは、炊飯器が沸騰段階にあると決定された場合に、釜底温度を収集するための底部感温筒の温度と、鍋蓋における温度を収集するための頂部感温筒の温度とに基づいて、前記炊飯器の釜底温度の上昇が速すぎるか否かを判断し、前記釜底温度の上昇が速すぎると決定された場合に、前記炊飯器の釜底への加熱を一時停止するように加熱板を制御し、前記底部感温筒の温度が第１の設定温度まで低下した後、再び沸騰段階の加熱パワーで前記釜底を加熱するように加熱板を制御する炊飯器を提供する。
【００１８】
オプションとして、前記コントローラは、底部感温筒の温度を取得し、底部感温筒の温度に基づいて、前記炊飯器が沸騰段階にあるか否かを判断してもよい。
【００１９】
オプションとして、前記コントローラは、底部感温筒の温度を取得し、前記底部感温筒の温度を第２の設定温度及び第３の設定温度のそれぞれと比較し、前記底部感温筒の温度が前記第２の設定温度よりも高くかつ前記第３の設定温度以下である場合に、前記炊飯器が沸騰段階にあると決定し、前記第３の設定温度は前記第２の設定温度よりも高く、前記第１の設定温度は前記第２の設定温度よりも高くかつ前記第３の設定温度よりも低いようにしてもよい。
【００２０】
オプションとして、前記コントローラは、前記底部感温筒の温度に基づいて、前記炊飯器が沸騰段階にあると決定された後、前記底部感温筒の温度と前記頂部感温筒の温度を取得してもよい。
【００２１】
オプションとして、前記コントローラは、前記底部感温筒の温度が第４の設定温度以上であり、かつ前記頂部感温筒の温度が第５の設定温度以下である場合に、前記釜底温度の上昇が速すぎると決定し、前記第５の設定温度は前記第４の設定温度よりも低く、前記第４の設定温度は前記第２の設定温度よりも高くかつ前記第３の設定温度よりも低いようにしてもよい。
【００２２】
オプションとして、前記コントローラは、前記底部感温筒の温度が前記第４の設定温度よりも低い、或いは、前記頂部感温筒の温度が前記第５の設定温度よりも高い場合に、前記釜底温度の上昇が速すぎないと決定してもよい。
【発明の効果】
【００２３】
上記実施例において、炊飯器が沸騰段階にあると決定された場合に、底部感温筒の温度と頂部感温筒の温度という２つの温度に基づいて、炊飯器の釜底温度の上昇が速すぎるか否かを判断することができる。釜底温度の上昇が速すぎると決定されていれば、釜底への加熱を停止するように加熱板を制御し、底部感温筒の温度が第１の設定温度まで低下した後、再び沸騰段階の加熱パワーで釜底を加熱するように加熱板を制御する。このように、釜底温度の上昇が速すぎると決定された場合に、釜底への加熱を停止し、釜底温度が継続して上昇することであまりにも早く蒸らし段階に入る現象の発生を防止し、釜底温度が第１の設定温度まで低下した後、加熱を再開始し、これにより、炊飯器内のご飯を充分に沸騰させることができ、ご飯を完熟にすることを保証する。
【００２４】
本開示の実施例の技術的構成をより明りょうに説明するために、以下、実施例に必要な図面について簡単に紹介し、以下で説明される図面は本開示の実施例に過ぎないことは明らかであり、当業者であれば、創造的な労働無しには、提供される図面に基づいてさらに他の図面を得ることができる。
【図面の簡単な説明】
【００２５】
【図１】本開示のいくつかの実施例による炊飯器の加熱温度制御方法を示す例示的なフローチャートである。
【図２】本開示の他のいくつかの実施例による炊飯器の加熱温度制御方法を示す例示的なフローチャートである。
【図３】本開示の更なるいくつかの実施例による炊飯器の加熱温度制御方法を示す例示的なフローチャートである。
【図４】本開示のいくつかの実施例による炊飯器の加熱温度制御装置を示す例示的なブロック図である。
【図５】本開示の他のいくつかの実施例による炊飯器の加熱温度制御装置を示す例示的なブロック図である。
【図６】本開示の更なるいくつかの実施例による炊飯器の加熱温度制御装置を示す例示的なブロック図である。
【図７】本開示のいくつかの実施例による第１の判断モジュールを示す例示的なブロック図である。
【図８】本開示の更なるいくつかの実施例による炊飯器の加熱温度制御装置を示す例示的なブロック図である。
【図９】本開示の更なるいくつかの実施例による炊飯器の加熱温度制御装置を示す例示的なブロック図である。
【図１０】本開示のいくつかの実施例による炊飯器を示す例示的なブロック図である。
【発明を実施するための形態】
【００２６】
以下、本開示の実施例における図面を結合して本開示の実施例における技術的構成を明瞭かつ完全に説明し、説明される実施例は、本開示の実施例の一部に過ぎず、全部ではないことは、言うまでもないことである。当業者が本開示の実施例に基づいて、創造的な労働無しに得られた他の実施例も、全て本開示の保護範囲内に含まれる。
【００２７】
本開示の実施例に提供される炊飯器の加熱温度制御方法において、炊飯器が沸騰段階にあると決定された場合に、底部感温筒の温度と頂部感温筒の温度を取得する。発明者らは、ご飯を熱湯で炊く場合、釜底温度が短時間で１００℃以上まで上昇することができ、例えば、底部感温筒の温度が１ｍｉｎ〜２ｍｉｎで１００℃から１０８℃まで上昇することができることを発見した。しかしながら、頂部感温筒は短時間で鍋内の蒸気に充分に接触していないため、頂部感温筒の温度はある温度以下となり、例えば、９０℃以下となる。したがって、この特徴に基づいて釜底温度の上昇が速すぎるか否かを判断することができる。釜底温度の上昇が速くなりすぎれば、釜底への加熱を停止し、底部感温筒の温度が第１の設定温度まで低下した後、釜底への加熱を再開し、これにより、ご飯を充分に沸騰させ、完熟にすることができる。以下、本開示の各実施例を結合して炊飯器の加熱温度制御方法について詳しく紹介する。
【００２８】
図１は、本開示のいくつかの実施例による炊飯器の加熱温度制御方法を示す例示的なフローチャートである。炊飯器は、内釜、加熱板、底部感温筒、頂部感温筒及びコントローラを備えることができる。底部感温筒は、炊飯器の釜底(即ち、内釜の釜底)の温度を収集することに用いられ、頂部感温筒は、炊飯器内の頂部(即ち、鍋蓋)の温度を収集することに用いられ、この２つの感温筒で収集された温度はコントローラに提供されることができる。コントローラは感温筒で収集された温度に基づいて、対応する加熱パワーを出力し釜底を加熱するように加熱板を制御することができる。該方法はコントローラに適用されることができる。
【００２９】
図１に示すように、ステップＳ１１０では、炊飯器が沸騰段階にあると決定された場合に、底部感温筒の温度と頂部感温筒の温度に基づいて、炊飯器の釜底温度の上昇が速すぎるか否かを判断する。
例えば、炊飯器が沸騰段階にあるか否かの決定は、底部感温筒の温度を取得することと、取得された底部感温筒の温度に基づいて、炊飯器が沸騰段階にあるか否かを決定することと、のように行われることができる。例えば、底部感温筒の温度が第２の設定温度よりも高くかつ第３の設定温度以下である場合に、炊飯器が沸騰段階にあると決定する。
【００３０】
本開示の一例によれば、底部感温筒の温度＜６０℃の場合、炊飯器が浸漬段階にあり、６０℃≦底部感温筒の温度≦８５℃の場合、炊飯器が加熱段階にあり、８５℃＜底部感温筒の温度≦１２０℃の場合、炊飯器が沸騰段階にあり、底部感温筒の温度＞１２０℃の場合、炊飯器が蒸らし段階にある。この例によれば、底部感温筒の温度が８５℃よりも高くかつ１２０℃以下であると検出されていれば、炊飯器は現在沸騰段階にあると決定することができる。即ち、この例において、第２の設定温度は８５℃であり、第３の設定温度は１２０℃である。
【００３１】
本開示の他の実施例において、第２の設定温度及び第３の設定温度は、実際のニーズに応じて他の数値に設定されてもよく、本開示ではこれを限定しないとする。
炊飯器が沸騰段階にあると決定された後、次に行われる炊飯器の釜底温度の上昇が速すぎるか否かの判断のために、底部感温筒及び頂部感温筒の温度を同時に取得することができる。
【００３２】
底部感温筒の温度が１００℃に達すると、内釜で水蒸気が発生し始め、この場合、頂部感温筒の温度が上昇し始める。
例えば、ご飯を常温の水で炊く場合、底部感温筒の温度が１００°から１０８℃まで上昇するには４ｍｉｎ〜６ｍｉｎがかかり、４ｍｉｎ〜６ｍｉｎにわたる蒸気の伝熱を経て、頂部感温筒の温度が９０°以上に達する。ご飯を熱湯で炊く場合、底部感温筒の温度が１００℃から１０８℃まで上昇するには１ｍｉｎ〜２ｍｉｎのみがかかり、頂部感温筒が蒸気に接触する時間は長くないため、この時、頂部感温筒の温度は９０℃以下である。それゆえ、底部感温筒の温度≧１０８℃で、頂部感温筒≦９０℃の場合に、炊飯器の釜底温度の上昇が速すぎると判定することができる。
【００３３】
従って、いくつかの実施例において、底部感温筒の温度が第４の設定温度以上であり、かつ頂部感温筒の温度が第５の設定温度以下である場合に、釜底温度の上昇が速すぎると決定することができる。ここで、第５の設定温度は第４の設定温度よりも低く、第４の設定温度は第２の設定温度よりも高くかつ第３の設定温度よりも低い。上記例によれば、第４の設定温度は１０８℃であることができ、第５の設定温度は９０℃であることができる。
本開示のいくつかの実施例において、第４の設定温度は、通常、１０５℃〜１１０℃、例えば１０６℃、１０９℃等に設定されることができ、第５の設定温度は、通常、９０℃〜９５℃、例えば９２℃、９４℃等に設定されることができる。本開示の他の実施例において、実際のニーズに応じて第４の設定温度及び第５の設定温度を他の数値範囲に設定してもよい。
【００３４】
ステップＳ１２０では、釜底温度の上昇が速すぎると決定された場合に、炊飯器の釜底への加熱を一時停止するように加熱板を制御する。
ステップＳ１３０では、底部感温筒の温度が第１の設定温度まで低下した後、再び沸騰段階の加熱パワーで釜底を加熱するように加熱板を制御する。
本開示のいくつかの実施例において、第１の設定温度は、通常、１００℃〜１０５℃、例えば１０２℃、１０４℃等に設定されることができる。もちろん、実際のニーズに応じて第１の設定温度を他の数値に設定してもよく、本開示ではこれを限定しないとする。
【００３５】
炊飯器の釜底温度の上昇が速すぎると判断されていれば、釜底への加熱を一時停止するように加熱板を制御し、底部感温筒の温度が第１の設定温度(例えば、１０３℃)まで低下したと検出された後、再び沸騰段階の加熱パワーで釜底を加熱するように加熱板を制御する。
【００３６】
炊飯器の釜底温度の上昇が速すぎないと判断されていれば、引き続き底部感温筒の温度に基づいて、炊飯器が蒸らし段階にあるか否かを判断することができる。例えば、底部感温筒の温度が１２０℃よりも高ければ、炊飯器が蒸らし段階にあると決定することができ、この場合、蒸らし段階の加熱パワーで釜底を加熱するように加熱板を制御することができ、底部感温筒の温度が８５℃よりも高くかつ１２０℃以下であれば、炊飯器が相変わらず沸騰段階にあると決定することができ、この場合、沸騰段階の加熱パワーのままで釜底を加熱するように加熱板を制御することができる。
【００３７】
上記実施例に提供される炊飯器の加熱温度制御方法において、炊飯器が沸騰段階にあると決定された場合に、底部感温筒の温度と頂部感温筒の温度という２つの温度に基づいて、炊飯器の釜底温度の上昇が速すぎるか否かを判断することができる。釜底温度の上昇が速すぎると決定されていれば、釜底への加熱を停止するように加熱板を制御し、底部感温筒の温度が第１の設定温度まで低下した後、再び沸騰段階の加熱パワーで釜底を加熱するように加熱板を制御し、これにより、炊飯器内のご飯を充分に沸騰させることができ、ご飯を完熟にすることを保証し、釜底の昇温が速くなりすぎてご飯を充分に沸騰させずに蒸らし段階に入ることに起因するご飯の生煮え現象の発生を回避する。
【００３８】
図２は、本開示の他のいくつかの実施例による炊飯器の加熱温度制御方法を示す例示的なフローチャートである。
図２に示すように、ステップＳ２１０では、底部感温筒の温度を取得する。
【００３９】
ステップＳ２２０では、底部感温筒の温度に基づいて、炊飯器が沸騰段階にあると決定された場合に、次に行われる炊飯器の釜底温度の上昇が速すぎるか否かの判断のために、底部感温筒及び頂部感温筒の温度を取得する。
【００４０】
ステップＳ２３０では、底部感温筒及び頂部感温筒の温度に基づいて、炊飯器の釜底温度の上昇が速すぎるか否かを判断し、ＹＥＳであれば、ステップＳ２４０を実行し、ＮＯであれば、元の論理に従い、釜底を加熱するように加熱板を制御する。
【００４１】
ステップＳ２４０では、釜底への加熱を停止するように加熱板を制御し、底部感温筒の温度が第１の設定温度まで低下した後、沸騰段階の加熱パワーで釜底を加熱するように加熱板を制御する。
【００４２】
上記実施例に提供される炊飯器の加熱温度制御方法において、底部感温筒の温度に基づいて、炊飯器が沸騰段階にあると決定された場合に、底部感温筒及び頂部感温筒の温度を取得し、この２つの温度に基づいて、炊飯器の釜底温度の上昇が速すぎるか否かを判断し、釜底温度の上昇が速すぎると決定されていれば、釜底への加熱を停止するように加熱板を制御し、底部感温筒の温度が第１の設定温度まで低下した後、沸騰段階の加熱パワーで釜底を加熱するように加熱板を制御し、これにより、炊飯器内のご飯を充分に沸騰させることができ、ご飯を完熟にすることを保証し、釜底の昇温が速くなりすぎてご飯を充分に沸騰させずに蒸らし段階に入ることに起因するご飯の生煮え現象の発生を回避する。
【００４３】
図３は、本開示の更なるいくつかの実施例による炊飯器の加熱温度制御方法を示す例示的なフローチャートである。該方法は、炊飯器で炊飯する全過程を例示的に紹介する。
【００４４】
図３に示すように、ステップＳ３１０では、第１の予め設定された周期で底部感温筒の温度を取得する。例えば、第１の予め設定された周期は、１０ｓ、又は５ｓであることができる。
ステップＳ３２０では、底部感温筒の温度が６０℃よりも低いと検出された場合、炊飯器が現在浸漬段階にあると決定する。
【００４５】
ステップＳ３３０では、浸漬段階の加熱パワーで加熱するように加熱板を制御する。
ステップＳ３４０では、底部感温筒の温度が６０℃以上８５℃以下であると検出された場合、炊飯器が現在加熱段階にあると決定する。
【００４６】
ステップＳ３５０では、加熱段階の加熱パワーで加熱するように加熱板を制御する。
ステップＳ３６０では、底部感温筒の温度が８５℃よりも高くかつ１２０℃以下であると検出された場合、炊飯器が現在沸騰段階にあると決定する。
ステップＳ３７０では、沸騰段階の加熱パワーで加熱するように加熱板を制御する。
【００４７】
ステップＳ３８０では、炊飯器が沸騰段階にある場合、第２の予め設定された周期で底部感温筒及び頂部感温筒の温度を取得する。例えば、第２の予め設定された周期は１０ｓであることができる。もちろん、第２の予め設定された周期は他の予め設定された周期であってもよい。第２の予め設定された周期は、第１の予め設定された周期と同じか異なってもよい。
ステップＳ３９０では、底部感温筒の温度が１０８℃以上であり、かつ頂部感温筒の温度が９０℃未満である現象があるか否かを判断し、ＹＥＳであれば、ステップＳ３１００を実行し、ＮＯであれば、ステップＳ３１２０を実行する。
ステップＳ３１００では、加熱を停止するように加熱板を制御し、底部感温筒の温度を取得し続ける。
【００４８】
ステップＳ３１１０では、底部感温筒の温度が１０３℃以下である場合、沸騰段階の加熱パワーで加熱するように加熱板を制御する。
ステップＳ３１２０では、底部感温筒の温度が１２０℃を超えたか否かを判断し、ＹＥＳであれば、ステップＳ３１３０を実行し、ＮＯであれば、炊飯器が現在沸騰段階にあると決定し、ステップＳ３７０に戻る。
ステップＳ３１３０では、炊飯器が現在蒸らし段階にあると決定し、蒸らし段階の加熱パワーで加熱するように加熱板を制御する。
【００４９】
上記実施例に提供される炊飯器の加熱温度制御方法において、底部感温筒の温度に基づいて、炊飯器が沸騰段階にあると決定された場合に、底部感温筒及び頂部感温筒の温度を取得し、この２つの温度に基づいて、炊飯器の釜底温度の上昇が速すぎるか否かを判断することができ、釜底温度の上昇が速すぎると決定されていれば、釜底への加熱を停止するように加熱板を制御し、底部感温筒の温度が第１の設定温度まで低下した後、沸騰段階の加熱パワーで釜底を加熱するように加熱板を制御し、これにより、炊飯器内のご飯を充分に沸騰させることができ、ご飯を完熟にすることを保証し、釜底の昇温が速くなりすぎてご飯を充分に沸騰させずに蒸らし段階に入ることに起因するご飯の生煮え現象の発生を回避する。
【００５０】
上述した各方法実施例について、簡単に説明するために、一連の動作の組み合わせとして表しているが、しかし、本開示は説明される動作の順番に制限されず、本開示により、一部のステップを他の順番で又は同時に行ってもよい、と当業者が知るべきである。次に、明細書に説明される実施例はいずれも好適な実施例であり、かかる動作及びモジュールは必ずしも本開示に必須なものとは限らないことも当業者が知るべきである。
上記方法実施例に対応して、本開示は、炊飯器の加熱温度制御装置の実施例をさらに提供する。
【００５１】
図４は、本開示のいくつかの実施例による炊飯器の加熱温度制御装置を示す例示的なブロック図である。該制御装置は炊飯器に適用されることができる。炊飯器は、加熱板、底部感温筒、頂部感温筒及び制御装置を備えることができる。底部感温筒は、炊飯器の釜底温度を収集することに用いられ、頂部感温筒は、炊飯器内の頂部(即ち、鍋蓋)の温度を収集することに用いられ、この２つの感温筒で収集された温度はコントローラに提供されることができる。制御装置は感温筒で収集された温度に基づいて、対応する加熱パワーを出力し釜底を加熱するように加熱板を制御することができる。
【００５２】
図４に示すように、該制御装置は、第１の判断モジュール４１０と制御モジュール４２０とを備えることができる。
第１の判断モジュール４１０は、炊飯器が沸騰段階にあると決定された場合に、底部感温筒の温度と頂部感温筒の温度に基づいて、炊飯器の釜底温度の上昇が速すぎるか否かを判断する。
【００５３】
制御モジュール４２０は、釜底温度の上昇が速すぎると決定された場合に、炊飯器の釜底への加熱を一時停止するように加熱板を制御し、底部感温筒の温度が第１の設定温度まで低下した後、再び沸騰段階の加熱パワーで釜底を加熱するように加熱板を制御する。例えば、第１の設定温度は、通常、１００℃〜１０５℃、例えば、１０２℃、１０３℃等に設定されることができる。
【００５４】
上記実施例に提供される炊飯器の加熱温度制御装置において、炊飯器が沸騰段階にあると決定された場合に、底部感温筒の温度と頂部感温筒の温度という２つの温度に基づいて、炊飯器の釜底温度の上昇が速すぎるか否かを判断することができる。釜底温度の上昇が速すぎると決定されていれば、釜底への加熱を停止するように加熱板を制御し、底部感温筒の温度が第１の設定温度まで低下した後、再び沸騰段階の加熱パワーで釜底を加熱するように加熱板を制御し、これにより、炊飯器内のご飯を充分に沸騰させることができ、ご飯を完熟にすることを保証し、釜底の昇温が速くなりすぎてご飯を充分に沸騰させずに蒸らし段階に入ることに起因するご飯の生煮え現象の発生を回避する。
【００５５】
図５は、本開示の他のいくつかの実施例による炊飯器の加熱温度制御装置を示す例示的なブロック図である。
図５に示すように、該制御装置は、図４に示される制御装置と対比すると、第１の取得モジュール４３０と第２の判断モジュール４４０とをさらに備える。
第１の取得モジュール４３０は、底部感温筒の温度を取得する。
第２の判断モジュール４４０は、底部感温筒の温度を第２の設定温度及び第３の設定温度のそれぞれと比較し、底部感温筒の温度が第２の設定温度よりも高くかつ第３の設定温度以下である場合に、炊飯器が沸騰段階にあると決定する。ここで、第３の設定温度は第２の設定温度よりも高く、上記第１の設定温度は第２の設定温度よりも高くかつ第３の設定温度よりも低い。
【００５６】
本開示のいくつかの実施例において、第２の設定温度は８５℃に設定されることができ、第３の設定温度は１２０℃に設定されることができる。
図６は、本開示の更なるいくつかの実施例による炊飯器の加熱温度制御装置を示す例示的なブロック図である。
図６に示すように、該制御装置は、図５に示される制御装置と対比すると、第２の取得モジュール４５０をさらに備える。
第２の取得モジュール４５０は、炊飯器が沸騰段階にあると決定された後、底部感温筒の温度と頂部感温筒の温度を取得する。例えば、炊飯器が沸騰段階にあると決定された後、予め設定された周期で(例えば、１０ｓ毎に)底部感温筒の温度と頂部感温筒の温度を取得する。
これに応じて、第１の判断モジュール４１０は、底部感温筒の温度と頂部感温筒の温度に基づいて、釜底温度の上昇が速すぎるか否かを判断する。
【００５７】
図７は、本開示のいくつかの実施例による第１の判断モジュール４１０を示す例示的なブロック図である。
図７に示すように、第１の判断モジュール４１０は、比較サブモジュール４１１と、第１の決定サブモジュール４１２と、第２の決定サブモジュール４１３とを含む。
比較サブモジュール４１１は、底部感温筒の温度と第４の設定温度とを比較するとともに、頂部感温筒の温度と第５の設定温度とを比較し、第５の設定温度は第４の設定温度よりも低く、第４の設定温度は第２の設定温度よりも高くかつ第３の設定温度よりも低い。
第１の決定サブモジュール４１２は、底部感温筒の温度が第４の設定温度以上であり、かつ頂部感温筒の温度が第５の設定温度以下である場合に、釜底温度の上昇が速すぎると決定する。
【００５８】
第２の決定サブモジュール４１３は、底部感温筒の温度が第４の設定温度よりも低い、或いは、頂部感温筒の温度が第５の設定温度よりも高い場合に、釜底温度の上昇が速すぎないと決定する。
例えば、第４の設定温度は１０８℃であることができ、第５の設定温度は９０℃であることができる。底部感温筒の温度≧１０８℃で、頂部感温筒の温度≦９０℃の場合、炊飯器の釜底温度の上昇が速すぎると判定することができる。底部感温筒の温度＜１０８℃、又は頂部感温筒の温度＞９０℃の場合、炊飯器の釜底温度の上昇が速すぎないと判定することができる。
【００５９】
なお、本開示の一部の実施例において、第１の判断モジュール４１０は、上述した比較サブモジュール４１１及び第１の決定サブモジュール４１２のみを備えてもよい。
図８は、本開示の更なるいくつかの実施例による炊飯器の加熱温度制御装置を示す例示的なブロック図である。
【００６０】
図８に示すように、該制御装置は、メモリ８１０とプロセッサ８２０とを備える。メモリ８１０は、磁気ディスク、フラッシュメモリ又は他のいかなる不揮発性記憶媒体であることができる。メモリ８１０は、上述したいずれかの実施例の方法に対応する命令を記憶する。プロセッサ８２０はメモリ８１０に接続されており、１つ又は複数の集積回路、例えば、マイクロプロセッサ又はマイクロコントローラとして実施されることができる。プロセッサ８２０は、メモリ８１０に記憶された命令を実行し、炊飯器内のご飯を充分に沸騰させることができ、ご飯を完熟にすることを保証し、釜底の昇温が速くなりすぎてご飯を充分に沸騰させずに蒸らし段階に入ることに起因するご飯の生煮え現象の発生を回避する。
【００６１】
図９は、本開示の更なるいくつかの実施例による炊飯器の加熱温度制御装置を示す例示的なブロック図である。図９に示すように、該制御装置９００は、メモリ９１０とプロセッサ９２０とを備える。プロセッサ９２０は、バス(ＢＵＳ)９３０を介してメモリ９１０に接続されている。該制御装置９００は、さらに、外部データを呼び出すために記憶インターフェース９４０を介して外部記憶装置９５０に接続されてもよく、また、ネットワークインターフェース９６０を介してネットワーク又は外部コンピュータシステム(図示せず)に接続されてもよい。
【００６２】
上記実施例において、メモリによってデータ命令を記憶し、プロセッサによって上記命令を記憶することにより、炊飯器内のご飯を充分に沸騰させることができ、ご飯を完熟にすることを保証し、釜底の昇温が速くなりすぎてご飯を充分に沸騰させずに蒸らし段階に入ることに起因するご飯の生煮え現象の発生を回避する。
本開示の実施例は炊飯器をさらに提供し、炊飯器は、上述したいずれかの実施例に提供される炊飯器の加熱温度制御装置を備えることができる。
【００６３】
図１０は、本開示のいくつかの実施例による炊飯器を示す例示的なブロック図である。
図１０に示すように、該炊飯器は、コントローラ１０１０、加熱板１０２０、底部感温筒１０３０及び頂部感温筒１０４０を備える。炊飯器は、また、内釜及び鍋蓋をさらに備えてもよい。
【００６４】
加熱板１０２０は、炊飯器の本体内に設けられ、内釜を加熱する。
底部感温筒１０３０は、炊飯器の本体の底部に設けられ、内釜の釜底温度を収集する。
頂部感温筒１０４０は、鍋蓋に設けられ、鍋蓋における温度を収集する。
【００６５】
コントローラ１０１０の第１の入力側が底部感温筒１０３０に電気的に接続され、コントローラ１０１０の第２の入力側が頂部感温筒１０４０に電気的に接続され、コントローラ１０１０の出力側が加熱板１０２０に電気的に接続されている。コントローラ１０１０は、炊飯器が沸騰段階にあると決定された場合に、底部感温筒１０３０の温度と頂部感温筒１０４０の温度に基づいて、炊飯器の釜底温度の上昇が速すぎるか否かを判断し、釜底温度の上昇が速すぎると決定された場合に、炊飯器の釜底への加熱を一時停止するように加熱板を制御し、底部感温筒１０３０の温度が第１の設定温度まで低下した後、再び沸騰段階の加熱パワーで釜底を加熱するように加熱板を制御する。本開示のいくつかの実施例において、コントローラ１０１０は、炊飯器が沸騰段階にあると決定された場合に、予め設定された周期で底部感温筒１０３０の温度と頂部感温筒１０４０の温度を取得する。
上記実施例に提供される炊飯器において、炊飯器が沸騰段階にあると決定された場合に、底部感温筒の温度と頂部感温筒の温度という２つの温度に基づいて、炊飯器の釜底温度の上昇が速すぎるか否かを判断することができる。釜底温度の上昇が速すぎると決定されていれば、釜底への加熱を停止するように加熱板を制御し、底部感温筒の温度が第１の設定温度まで低下した後、再び沸騰段階の加熱パワーで釜底を加熱するように加熱板を制御し、これにより、炊飯器内のご飯を充分に沸騰させ、ご飯を完熟にすることを保証し、釜底の昇温が速くなりすぎてご飯を充分に沸騰させずに蒸らし段階に入ることに起因するご飯の生煮え現象の発生を回避する。
【００６６】
本開示のいくつかの実施例において、コントローラ１０１０は、底部感温筒１０３０の温度を取得し、底部感温筒１０３０の温度を第２の設定温度及び第３の設定温度のそれぞれと比較し、底部感温筒１０３０の温度が第２の設定温度よりも高くかつ第３の設定温度以下である場合に、炊飯器が沸騰段階にあると決定する。ここで、第３の設定温度は第２の設定温度よりも高く、第１の設定温度は第２の設定温度よりも高くかつ第３の設定温度よりも低い。例えば、８５℃＜底部感温筒の温度≦１２０℃の場合、炊飯器が沸騰段階にあると決定する。この例において、第２の設定温度は８５℃であり、第３の設定温度は１２０℃である。
【００６７】
本開示のいくつかの実施例において、コントローラ１０１０は、底部感温筒１０３０の温度が第４の設定温度以上であり、かつ頂部感温筒１０４０の温度が第５の設定温度以下である場合に、釜底温度の上昇が速すぎると決定し、底部感温筒１０３０の温度が第４の設定温度よりも低い、或いは、頂部感温筒１０４０の温度が第５の設定温度よりも高い場合に、釜底温度の上昇が速すぎないと決定する。ここで、第５の設定温度は第４の設定温度よりも低く、第４の設定温度は第２の設定温度よりも高くかつ第３の設定温度よりも低い。例えば、第４の設定温度は１０５℃〜１１０℃に設定されることができ、第５の設定温度は９０℃〜９５℃に設定されることができる。本開示の他の実施例において、実際のニーズに応じて第４の設定温度及び第５の設定温度を他の数値範囲に設定してもよい。
【００６８】
本開示は、コンピュータ読取可能な記憶媒体をさらに提供し、それにはコンピュータプログラム命令が記憶されており、該命令は、プロセッサによって実行されるときに、上述したいずれかの実施例の方法のステップを実現する。
本明細書における各実施例は漸進的に説明されており、各実施例について重点として説明されたものは、他の実施例との相違点であり、それぞれの実施例同士の同一の又は類似した部分は互いに参照すればよい。制御装置実施例は、制御方法実施例に実質的に対応しているため、比較的簡単に説明されており、関連部分は、方法実施例の一部の説明を参照すればよい。
【００６９】
なお、最後に、本文において、第１、第２などの関係用語は、１つのエンティティ又は操作を他のエンティティ又は操作と差異化するためのものであり、必ずしもこれらのエンティティ又は操作同士にいかなるこのような実際の関係又は順番があることを要求又は暗示しているとは限らない。そして、用語である「含む」、「含有」又は他のいかなる変形は、排他的にならずに含まれたものをカバーすることがその意図であり、これにより、一連の要素を含む過程、方法、物品又は装置は、これらの要素だけでなく、明確に挙げられていない他の要素をも含み、或いは、このような過程、方法、物品又は装置に固有の要素も含んでいる。更なる制限がない限り、「１つの…を含む」との記載で要素を限定することは、前記要素を含む過程、方法、物品又は装置にさらに他の同一の要素が含まれる場合を排除していない。
【００７０】
説明のために、以上の装置を説明する時に、機能別に様々なユニットに分けてそれぞれ説明している。もちろん、本開示を実施する際に、各ユニットの機能を同一の又は複数のソフトウェア及び／又はハードウェアにて実現することができる。
以上の実施形態の説明から分かるように、本開示は、ソフトウェア及び必要な汎用ハードウェアフラップフォームを介して実現されることができることは、当業者にとって明らかである。このような理解に基づいて、本開示の技術的構成は、本質上、或いは、従来技術に貢献する部分が、ソフトウェア製品の形で体現されることができ、このコンピュータソフトウェア製品は、記憶媒体、例えば、ＲＯＭ／ＲＡＭ、磁気ディスク、光ディスク等に記憶されることができ、コンピュータ機器（パソコン、サーバ、又はネットワークデバイス等であってもよい）に本開示の各実施例又は実施例の一部に記載の方法を実行させるための若干の命令を含む。
【００７１】
開示された実施例の上記説明により、当業者は本開示を実現又は使用することができる。これらの実施例の様々な修正は当業者にとって自明なものであり、本文に定義された一般的な原理は、本開示の思想又は範囲から逸脱しない限り、他の実施例にて実現されることができる。このため、本開示は、本文に示されるこれらの実施例に制限されず、本文に開示された原理及び新規性の特徴に合致する最も広い範囲に合う。
【００７２】
最後に、以上の実施例は、あくまでも本開示の技術的構成を説明するためのものであり、これを制限していない。好適な実施例を参照して本開示を詳しく説明しているが、本開示の具体的な実施形態を修正したり、一部の技術的特徴を均等に置き換えたりすることが可能であることは、当業者が理解するべきである。これらは、本開示の技術的構成の思想から逸脱することなく、いずれも本開示の保護しようとする技術的構成の範囲内に含まれるべきである。
【図１】
2019526390.tif 000003
【図２】
2019526390.tif 000004
【図３】
2019526390.tif 000005
【図４】
2019526390.tif 000006
【図５】
2019526390.tif 000007
【図６】
2019526390.tif 000008
【図７】
2019526390.tif 000009
【図８】
2019526390.tif 000010
【図９】
2019526390.tif 000011
【図１０】
2019526390.tif 000012
【国際調査報告】
2019526390.tif 000013
2019526390.tif 000014
2019526390.tif 000015
2019526390.tif 000016